(57)【要約】【課題】白黒画像又はカラー画像におけるグレイ色を指定された色味で印刷する場合のメディアの種類等を好適に評価することができる情報処理方法及び装置を提供する。【解決手段】情報処理装置１００は、記録メディア上に形成される白黒画像又はカラー画像のグレイ色の色味を評価する。まず、ＵＩ部１０２によって、グレイ色の色度点に関する情報を取得してグレイ色度点保持部１０３に格納する。また、画像を形成する記録メディアの色度点に関する情報を取得し、メディアリスト保持部１０４に格納する。そして、スコア算出部１０５により、グレイ色の色度点と記録メディアの色度点とに基づいて、記録メディア上に形成される画像のグレイ色の色味に関する評価値を算出する。また、算出された評価値はＩ／Ｆ部１０１を介して出力される。【選択図】  図１
2004234550.tif 000002
【特許請求の範囲】
【請求項１】
記録メディア上に形成される白黒画像又はカラー画像のグレイ色の色味を評価する情報処理方法であって、
前記グレイ色の色度点に関する情報を取得する第１の取得工程と、
前記記録メディアの色度点に関する情報を取得する第２の取得工程と、
前記グレイ色の色度点と前記記録メディアの色度点とに基づいて、該記録メディア上に形成される画像のグレイ色の色味に関する評価値を算出する評価工程と、
算出された前記評価値を出力する出力工程と
を有することを特徴とする情報処理方法。
【請求項２】
前記グレイ色及び前記記録メディアの色度点がＣＩＥＬＡＢ色空間の（ａ＊，ｂ＊）座標値で表されており、
前記評価値が、前記グレイ色の色度点と前記記録メディアの白色の色度点との前記（ａ＊，ｂ＊）座標における距離である
ことを特徴とする請求項１記載の情報処理方法。
【請求項３】
前記第１の取得工程が、前記グレイ色についての複数の色度点に関する情報の中から一の色度点に関する情報を選択することを特徴とする請求項１又は２に記載の情報処理方法。
【請求項４】
前記第１の取得工程が、色マップ上の任意の位置を指定することにより一の色度点を決定し、該色度点に関する情報を取得することを特徴とする請求項１又は２に記載の情報処理方法。
【請求項５】
前記出力工程が、前記評価値が小さな前記記録メディアの名称を昇順に、所定の表示装置上に一覧表示することを特徴とする請求項１から４までのいずれか１項に記載の情報処理方法。
【請求項６】
記録メディア上に形成される白黒画像又はカラー画像のグレイ色の色味を評価する情報処理方法であって、
前記グレイ色の色度点に関する情報を取得する第１の取得工程と、
前記記録メディアによって定まる白色の色度点に関する情報を取得する第２の取得工程と、
前記記録メディアと色材によって定まる黒色の色度点に関する情報を取得する第３の取得工程と、
前記グレイ色の色度点と前記白色の色度点と前記黒色の色度点とに基づいて、前記記録メディア上に形成される画像のグレイ色の色味に関する評価値を算出する評価工程と、
算出された前記評価値を出力する出力工程と
を有することを特徴とする情報処理方法。
【請求項７】
前記グレイ色、前記白色及び前記黒色の色度点がＣＩＥＬＡＢ色空間の（ａ＊，ｂ＊）座標値で表されており、
前記評価値が、前記グレイ色の色度点及び前記白色の色度点の前記（ａ＊，ｂ＊）座標における距離と、前記グレイ色の色度点及び前記黒色の色度点の前記（ａ＊，ｂ＊）座標における距離とで決定される
ことを特徴とする請求項６記載の情報処理方法。
【請求項８】
前記出力工程が、前記評価値が小さな前記記録メディア及び色材の名称を昇順に、所定の表示装置上に一覧表示することを特徴とする請求項６又は７に記載の情報処理方法。
【請求項９】
記録メディア上に形成される白黒画像又はカラー画像のグレイ色の色味を評価する情報処理装置であって、
前記グレイ色の色度点に関する情報を取得する第１の取得手段と、
前記記録メディアの色度点に関する情報を取得する第２の取得手段と、
前記グレイ色の色度点と前記記録メディアの色度点とに基づいて、該記録メディア上に形成される画像のグレイ色の色味に関する評価値を算出する評価手段と、
算出された前記評価値を出力する出力手段と
を備えることを特徴とする情報処理装置。
【請求項１０】
コンピュータに、記録メディア上に形成される白黒画像又はカラー画像のグレイ色の色味を評価させるためのプログラムであって、
前記グレイ色の色度点に関する情報を取得する第１の取得手順と、
前記記録メディアの色度点に関する情報を取得する第２の取得手順と、
前記グレイ色の色度点と前記記録メディアの色度点とに基づいて、該記録メディア上に形成される画像のグレイ色の色味に関する評価値を算出する評価手順と、
算出された前記評価値を出力する出力手順と
を実行させるためのプログラム。
【請求項１１】
請求項１０記載のプログラムを格納したことを特徴とするコンピュータ読み取り可能な記録媒体。
【発明の詳細な説明】
【０００１】
【発明の属する技術分野】
本発明は、指定された色味のグレイ色をカラープリンタで出力する際のメディア（印刷用紙）等を評価する技術に関する。
【０００２】
【従来の技術】
カラープリンタを用いて白黒画像を印刷する場合、入力白黒信号に対応する印刷色を適切に設定することによって、好みの色味で印刷することができる。ここで、図８は、白黒画像及びカラー画像におけるグレイの色味調整を説明するための色度平面を示す図である。例えば、図８において、色度平面（ＣＩＥＬＡＢ色空間のａ＊、ｂ＊平面）に示すように、入力白黒信号が白の色度点Ｗとグレイの色度点Ｇと黒の色度点Ｋとを結ぶ線分上の色で画像が印刷されるように画像処理を行う場合を考える。
【０００３】
この時、図８に示される色度平面において上記グレイの色度点Ｇの位置を利用者の要求に応じて調整することで、例えば、ニュートラルな色味に知覚されるクールグレイや、白黒銀塩写真の色味に似せた黄色味のグレイで印刷することも可能である。また、上記画像処理はカラー画像中におけるグレイの色味調整にも適用することができる。この場合、グレイを構成するカラー信号（すなわち、Ｒ信号とＧ信号とＢ信号の値が等しいカラー信号）が、調整後の色度点Ｗと色度点Ｇと色度点Ｋとを結ぶ線分上の色で印刷されるようにする。
【０００４】
【発明が解決しようとする課題】
しかしながら、白の色度点Ｗ及び黒の色度点Ｋは、印刷用紙や色材等のメディア情報の特性にも依存するため、例えば、印刷用紙の種類によっては、指定されたグレイの色度点Ｇと白の色度点Ｗによって印刷用紙上に形成された画像の色味とユーザの考えていた色味とがかけ離れたものになってしまうことがあった。すなわち、白黒印刷画像に複数の色味が混在する等、不自然な色になることがあった。
【０００５】
また、画像中に高明度の領域と中間明度の領域が隣接している場合、両者の色度点の差が大きいために、色味の違いが目立ってしまうことがあった。さらに、カラー画像では、彩度の違いに敏感な低彩度領域の色に関し、本来は等彩度の色が大きく彩度が異なる色として印刷されてしまい、擬似輪郭の発生や色味の不自然な画像として印刷されることがあった。
【０００６】
本発明は、このような事情を考慮してなされたものであり、白黒画像又はカラー画像におけるグレイ色を指定された色味で印刷する場合のメディアの種類等を好適に評価することができる情報処理方法及び装置を提供することを目的とする。
【０００７】
【課題を解決するための手段】
上記課題を解決するために、本発明は、記録メディア上に形成される白黒画像又はカラー画像のグレイ色の色味を評価する情報処理方法であって、前記グレイ色の色度点に関する情報を取得する第１の取得工程と、前記記録メディアの色度点に関する情報を取得する第２の取得工程と、前記グレイ色の色度点と前記記録メディアの色度点とに基づいて、該記録メディア上に形成される画像のグレイ色の色味に関する評価値を算出する評価工程と、算出された前記評価値を出力する出力工程とを有することを特徴とする。
【０００８】
また、本発明は、記録メディア上に形成される白黒画像又はカラー画像のグレイ色の色味を評価する情報処理方法であって、前記グレイ色の色度点に関する情報を取得する第１の取得工程と、前記記録メディアによって定まる白色の色度点に関する情報を取得する第２の取得工程と、前記記録メディアと色材によって定まる黒色の色度点に関する情報を取得する第３の取得工程と、前記グレイ色の色度点と前記白色の色度点と前記黒色の色度点とに基づいて、前記記録メディア上に形成される画像のグレイ色の色味に関する評価値を算出する評価工程と、算出された前記評価値を出力する出力工程とを有することを特徴とする。
【０００９】
さらに、本発明は、記録メディア上に形成される白黒画像又はカラー画像のグレイ色の色味を評価する情報処理装置であって、前記グレイ色の色度点に関する情報を取得する第１の取得手段と、前記記録メディアの色度点に関する情報を取得する第２の取得手段と、前記グレイ色の色度点と前記記録メディアの色度点とに基づいて、該記録メディア上に形成される画像のグレイ色の色味に関する評価値を算出する評価手段と、算出された前記評価値を出力する出力手段とを備えることを特徴とする。
【００１０】
【発明の実施の形態】
以下、図面を参照して、本発明の実施形態について詳細に説明する。
【００１１】
＜第１の実施形態＞
［情報処理装置１００の構成］
図１は、本発明の第１の実施形態に係る情報処理装置１００の細部構成を示すブロック図である。本実施形態に係る情報処理装置１００は、ユーザによって指定したグレイ色度点によって形成されたグレイ色の色味での印刷を実現するためには、どのメディア（印刷用紙）が適しているかを評価するために用いることができる。
【００１２】
図１に示すように、本実施形態に係る情報処理装置１００は、Ｉ／Ｆ部１０１、ＵＩ（ユーザインタフェース）部１０２、グレイ色度点保持部１０３、メディアリスト保持部１０４、スコア算出部１０５及びソート部１０６とから構成される。
【００１３】
ここで、Ｉ／Ｆ部１０１は、不図示のモニタや、キーボード、マウス等の入出力装置等に接続され、オペレータに対する情報表示やオペレータから本情報処理装置１００への情報入力等を行うものである。また、ＵＩ部１０２は、Ｉ／Ｆ部１０１を介して、グレイ色度点の取得や本情報処理装置１００による処理結果であるメディア（印刷用紙）情報の出力等を行わせる。さらに、グレイ色度点保持部１０３は、ＵＩ部１０２がＩ／Ｆ部１０１を介してオペレータが設定した色味についてのグレイ色度点を格納する。
【００１４】
一方、メディアリスト保持部１０４は、例えば、画像を印刷するためのメディアの名称（メディア名）及びメディアの色度点（白の色度点）等のメディア情報を格納する。また、メディアリスト保持部１０４は、上記メディア情報の代わりに、或いは上記メディア情報に加えて、メディアの品番や、光沢紙、普通紙といった紙種分類等に関する情報を格納してもよい。
【００１５】
さらに、スコア算出部１０５は、グレイ色度点保持部１０３に格納されたグレイ色度点と、メディアリスト保持部１０４に格納されたメディアの色度点とから、それぞれのメディアがユーザの指定したグレイ色度点の印刷に適しているか否かを示す評価値を計算する。さらにまた、ソート部１０６は、メディアリスト保持部１０４に格納された各メディアをスコア算出部１０５によって計算された評価値によってソートする。ソート部１０６によってソートされたメディア情報は、ＵＩ部１０２がＩ／Ｆ部１０１を介して出力される。
【００１６】
すなわち、本実施形態に係る情報処理装置１００は、記録メディア（印刷用紙）上に形成される白黒画像又はカラー画像のグレイ色の色味を評価するものである。まず、ＵＩ部１０２によって、グレイ色の色度点に関する情報を取得してグレイ色度点保持部１０３に格納する。また、画像を形成する記録メディアの色度点に関する情報を取得し、メディアリスト保持部１０４に格納する。そして、スコア算出部１０５により、グレイ色の色度点と記録メディアの色度点とに基づいて、記録メディア上に形成される画像のグレイ色の色味に関する評価値を算出する。また、算出された評価値はＩ／Ｆ部１０１を介して出力される。
【００１７】
［ＵＩ部を用いたグレイ色度点取得］
図２は、あらかじめ設定されているグレイの色味をリストから選択するＵＩの一例を示す図である。図２に示すように、ＵＩは、プルダウンリスト２０１とＯＫボタン２０２とキャンセルボタン２０３とマウスポインタ２０４とによって構成される。
【００１８】
プルダウンリスト２０１には、例えば、「セピア調」、「白黒銀塩印画紙」、「クールグレイ」等の一般的なグレイの色味リストがあらかじめ設定されている。そして、マウスポインタ２０４又は不図示のキーボードによってプルダウンリスト２０１が指定されると上記リストが表示され、ユーザは当該リストから好みの色味を選択することができる。そして、ＯＫボタン２０２が指定されると、プルダウンリスト２０１によって選択された色味に対応するグレイ色度点が図１の情報処理装置１００におけるグレイ色度点保持部１０３に格納される。ここで、キャンセルボタン２０３が指定されると、プルダウンリスト２０１によって選択された色味はキャンセルされる。尚、上記グレイ色度点保持部１０３に格納される色度点は、本実施形態では、ＣＩＥＬＡＢ色空間のａ＊、ｂ＊値を用いる。
【００１９】
すなわち、本実施形態に係る情報処理装置１００は、ＵＩ部１０２によって、グレイ色についての複数の色度点に関する情報の中から一の色度点に関する情報を選択するようにしてもよい。
【００２０】
図３は、新規にグレイ色度点を設定する場合のＵＩの一例を示す図であり、８つの色味設定ボタン３０１から３０８とグレイ設定マップ３０９とＯＫボタン３１０とキャンセルボタン３１１とから構成される。図３に示すグレイ設定マップ３０９は、例えば、ＣＩＥＬＡＢ色空間の（ａ＊，ｂ＊）平面に対応した升目画像であり、現在のグレイ色度点のａ＊、ｂ＊に対応する位置の升目が黒塗り（符号Ｈ）で示されている。また、グレイ設定マップ３０９は、水平方向がａ＊軸、垂直方向がｂ＊軸に対応し、升目が右に行くほど赤味が強くなり、上に行くほど黄色味が強くなり、左に行くほど緑味が強くなり、下に行くほど青味が強くなる。
【００２１】
色味設定ボタン３０１を指定すると、グレイ設定マップ３０９における黒塗りの升目Ｈの位置は右方向に移動し、赤味が増すように設定される。同様にして、色味設定ボタン３０２を指定すると黒塗りの升目Ｈの位置は右上方向に移動し、色味設定ボタン３０３を指定すると黒塗りの升目Ｈの位置は上方向に移動し、色味設定ボタン３０４を指定すると黒塗りの升目Ｈの位置は左上方向に移動し、色味設定ボタン３０５を指定すると黒塗りの升目Ｈの位置は左方向に移動し、色味設定ボタン３０６を指定すると黒塗りの升目Ｈの位置は左下方向に移動し、色味設定ボタン３０７を指定すると黒塗りの升目Ｈの位置は下方向に移動し、色味設定ボタン３０８を指定すると黒塗りの升目Ｈの位置は右下方向にそれぞれ移動する。そして、このときグレイ色度点は移動先の升目Ｈの位置に対応する値に設定される。尚、上記方向と色の関係は一例であって、異なるものを用いても同様にして実施可能である。
【００２２】
すなわち、本実施形態に係る情報処理装置１００では、ＵＩ部１０２によって、色マップ上の任意の位置を指定することにより一の色度点を決定し、当該色度点に関する情報を取得するようにしてもよい。
【００２３】
さらに、ＯＫボタン３１０が指定されると、設定された色度点は図１に示す情報処理装置１００におけるグレイ色度点保持部１０３に格納される。尚、キャンセルボタン３１１が指定されると、設定された色度点はキャンセルされる。
【００２４】
［スコア算出方法］
図１に示す情報処理装置１００の構成において、スコア算出部１０５は、メディア（印刷用紙）が指定された色味をしたグレイ色の印刷に適しているか否かを示す評価値Ｓを算出する。本実施形態において、評価値Ｓは、例えば、メディアリスト保持部１０４に格納された各メディアの色度点とグレイ色度点保持部１０３に格納されたグレイ色度点とから、次式（１）によって算出する。
【００２５】
【数１】
2004234550.tif 000003
【００２６】
但し、（ａｗ，ｂｗ）はメディアの色度点（白の色度点）、（ａｇ，ｂｇ）はグレイ色度点である。尚、各色度点はＣＩＥＬＡＢ色空間の（ａ＊，ｂ＊）座標値である。
【００２７】
式（１）に示される評価値では、値が小さい方が指定されたグレイ色度点の印刷に適していることを示す。すなわち、当該評価値が小さいメディアは、メディアの色度点（例えば、図８の点Ｗ）と指定されたグレイの色度点（例えば、図８の点Ｇ）との（ａ＊，ｂ＊）座標上の距離が近いものとなる。従って、例えば、白黒印刷画像において複数の色味が混在して知覚されることが少なく、また、画像の中で高明度の領域と中間明度の領域が隣接している場合も色味の違いが目立たない。さらにカラー画像においても、明度によってグレイの色度点が変わらないため、低彩度部において歪んだマッピングを行う必要がなく、擬似輪郭や不自然な色味による印刷を抑制することができる。
【００２８】
すなわち、本実施形態に係る情報処理装置１００では、前述したグレイ色及び記録メディアの色度点がＣＩＥＬＡＢ色空間の（ａ＊，ｂ＊）座標値で表されており、評価値Ｓが、グレイ色の色度点と記録メディアの白色の色度点との（ａ＊，ｂ＊）座標における距離であることを特徴とする。
【００２９】
［処理手順］
図４は、本発明の第１の実施形態に係る情報処理装置を用いてユーザが指定した色味のグレイ色を形成するために最適なメディア情報を決定するための処理手順を説明するためのフローチャートである。
【００３０】
まず、オペレータの要求に応じたグレイ色度点が取得される（ステップＳ４０１）。グレイ色度点は、上述した図２又は図３を用いて説明したように、ＵＩ部１０２を用いてユーザによって設定される。次に、ステップＳ４０１で設定されたグレイ色度点と図１のメディアリスト保持部１０４に格納されている各メディアの色度点とから、スコア算出部１０５で行われる上記スコア算出方法に基づいて各メディアの評価値を求める（ステップＳ４０２）。
【００３１】
次に、ソート部１０６は、上記メディアリストを求めた評価値でソートし、図１に示す情報処理装置１００のＩ／Ｆ部１０１を介して不図示の表示部に表示、或いは、紙等のメディアに印刷出力される。図５は、第１の実施形態におけるメディアリストの出力結果の一例を示す図である。図１５に示される評価値（スコア）でソートされたメディア（印刷用紙）情報のリストでは、評価値とメディア名および紙種分類が出力されている。そして、オペレータはこの出力結果に基づいて、使用するメディアを決定することができる。
【００３２】
すなわち、本実施形態に係る情報処理装置１００では、スコア算出部１０５で算出された評価値が、ソート部１０６によって昇順にソートされた後にＩ／Ｆ部１０１を介して出力され、評価値の小さな順にソートされた記録メディアの名称を所定の表示装置上に一覧表示することを特徴とする。
【００３３】
本実施形態では、上述したように、スコアの小さい評価値に対応するメディアが、ユーザの指定した色味のグレイ色の画像形成に適切であることを示す。尚、当該出力結果は、フィルタによって「光沢紙」等の特定の種別のみを表示するように設定してもよい。
【００３４】
上述したように、第１の実施形態に係る情報処理装置によれば、上述した評価値に基づいてメディア情報を出力することができる。従って、オペレータは、当該メディア情報を参考にして、指定した色味の印刷を得るために好適なメディアを選択することが可能となる。
【００３５】
＜第２の実施形態＞
上記第１の実施形態では、指定した色味で印刷する際に好適なメディア（印刷用紙）情報を提供する情報処理装置１００を構成及び動作等について説明したが、同様に、指定した色味で印刷する場合に好適な色材（例えば、インクやトナー）情報を提供する情報処理装置を構成することもできる。本実施形態では、このような情報処理装置について説明する。
【００３６】
［構成］
図６は、本発明の第２の実施形態の情報処理装置６００の細部構成を示すブロック図である。図６に示すように、本実施形態に係る情報処理装置６００は、Ｉ／Ｆ部１０１、ＵＩ（ユーザインタフェース）部１０２、グレイ色度点保持部１０３、メディア色材リスト保持部６０４、スコア算出部６０５及びソート部１０６によって構成される。ここで、上記構成要素のうち、メディア色材リスト保持部６０４とスコア算出部６０５以外の構成要素は、前述した第１の実施形態に係る情報処理装置１００おける同名同符号の構成要素と同じ機能を有するため、説明を省略する。
【００３７】
メディア色材リスト保持部６０４は、例えば、印刷用紙と、インクの名称及び印刷用紙とインクによって決定する白及び黒の色度点等のメディアと色材の組み合わせ情報を格納する。また、スコア算出部６０５は、グレイ色度点保持部６０３に格納されたグレイ色度点と、メディア色材リスト保持部６０４に格納された白および黒の色度点とから、各メディアおよび色材の組み合わせが当該グレイ色度点の印刷に適しているか否かを示す所定の評価値を計算する。
【００３８】
そして、ソート部１０６は、メディア色材リスト保持部６０４に格納された各メディアと色材の組み合わせ情報をスコア算出部６０５によって計算された評価値によってソートする。ソート部６０６によってソートされた結果は、ＵＩ部１０２がＩ／Ｆ部１０１を介して出力する。
【００３９】
すなわち、本実施形態に係る情報処理装置６００は、記録メディア上に形成される白黒画像又はカラー画像のグレイ色の色味を評価するものである。まず、ＵＩ部１０２により、グレイ色の色度点に関する情報を取得してグレイ色度点保持部１０３に格納する。また、記録メディアによって定まる白色の色度点に関する情報と、記録メディアと色材によって定まる黒色の色度点に関する情報とを取得して、メディア色材リスト保持部６０４に格納する。そして、スコア算出部６０５により、グレイ色の色度点と白色の色度点と黒色の色度点とに基づいて、記録メディア上に形成される画像のグレイ色の色味に関する評価値を算出する。そして、算出された評価値をＩ／Ｆ部１０１を介して出力する。
【００４０】
［スコア算出方法］
図６に示す本実施形態に係る情報処理装置６００におけるスコア算出部６０５は、メディア（印刷用紙）と色材（インクやトナー等）の組み合わせが指定された色味の印刷に適しているか否かを示す評価値Ｓを算出する。本実施形態において評価値Ｓは、メディア色材リスト保持部６０４に格納された各メディアと色材の組み合わせに関して、該メディアと色材の組み合わせに基づく白および黒の色度点とグレイ色度点保持部１０３に格納されたグレイ色度点とから、次式（２）によって算出される。
【００４１】
【数２】
2004234550.tif 000004
【００４２】
但し、（ａｗ，ｂｗ）はメディアによって決まる白の色度点、（ａｋ，ｂｋ）はメディアと色材によって決まる黒の色度点、（ａｇ，ｂｇ）は指定されたグレイ色度点であり、各色度点はＣＩＥＬＡＢ色空間のａ＊、ｂ＊座標値である。
【００４３】
すなわち、本実施形態に係る情報処理装置６００では、グレイ色、白色及び黒色の色度点がＣＩＥＬＡＢ色空間の（ａ＊，ｂ＊）座標値で表されており、スコア算出部６０５により、グレイ色の色度点及び白色の色度点の（ａ＊，ｂ＊）座標における距離と、グレイ色の色度点及び黒色の色度点の（ａ＊，ｂ＊）座標における距離とで決定される評価値が算出されることを特徴とする。
【００４４】
上記評価値では、値が小さい方が指定されたグレイ色度点の印刷に適していることを示す。すなわち、当該評価値が小さいメディアは、白の色度点（例えば、図８の点Ｗ）及び黒の色度点（例えば、図８の点Ｋ）と、指定されたグレイの色度点（例えば、図８の点Ｇ）との距離が互いに近いため、例えば、白黒印刷画像において複数の色味が混在して知覚されることが少なく、また、画像の中で高明度の領域と中間明度の領域と低明度の領域が隣接している場合も色味の違いが目立たない。
【００４５】
さらにカラー画像においても、明度によってグレイの色度点が変わらないため、低彩度部において歪んだマッピングを行う必要がなく、擬似輪郭や不自然な色味による印刷を抑制することができる。
【００４６】
そして、本実施形態の情報処理装置６００は、上記評価値に基づくメディア／色材情報を第１の実施形態と同様にして出力する。従って、オペレータは、出力されたメディア／色材情報によって、指定した色味の印刷を得るために好適なメディア及び色材を選択することが可能となる。
【００４７】
すなわち、本実施形態に係る情報処理装置６００では、ソート部１０６がスコア算出部６０５によって算出された評価値を小さなものから昇順にソートし、Ｉ／Ｆ部１０１を介して昇順にソートされた記録メディア及び色材の名称を所定の表示装置上に一覧表示することを特徴とする。
【００４８】
＜第３の実施形態＞
本実施形態は、上述した第１及び第２の実施形態に係る情報処理装置をネットワーク上に展開することを特徴とする。例えば、第２の実施形態における上記メディア色材リスト保持部６０４をネットワーク上のサーバに設置することで、メディア及び色材のサプライヤは、リストの更新を簡易、かつ、迅速に行うことが可能となる。そして、ユーザは、最新のリストに基づいて、所望の色味で出力するのに最適なメディアおよび色材情報を入手することが可能となる。
【００４９】
［構成］
図７は、本発明の第３の実施形態に係る情報処理システムの細部構成を示すブロック図である。図７に示すように、本発明の情報処理装置は、ユーザクライアント部８０１とサプライヤクライアント部８０２とサーバ部８０３とが互いにネットワーク８０４を介して接続されたクライアントサーバシステムによって構成される。
【００５０】
図７において、ユーザクライアント部８０１は、Ｉ／Ｆ部７０１、ＵＩ部７０２、グレイ色度点保持部７０３、スコア算出部７０５、ソート部７０６及びネットワークＩ／Ｆ部７０８とで構成される。また、サプライヤクライアント部８０２は、メディア色材登録部７０７及びネットワークＩ／Ｆ部７０９とで構成される。さらに、サーバ部８０３は、メディア色材リスト保持部７０４及びネットワークＩ／Ｆ部７１０で構成される。ここで、上記構成要素のうち、メディア色材登録部７０７とネットワークＩ／Ｆ部７０８、７０９、７１０以外は、前述した第１又は第２の実施形態に係る情報処理装置１００又は６００における同名の構成要素と同じ機能を有する。
【００５１】
本実施形態では、ユーザクライアント部８０１は、前述したように、ＵＩ部７０２がＩ／Ｆ部７０１を介してグレイ色度点の調整値を取得し、グレイ色度点保持部７０３に格納する。また、スコア算出部７０５は、ネットワークＩ／Ｆ部７０８、７１０を介してサーバ部８０３にアクセスし、メディア色材リスト保持部７０４に格納されたメディアの色度点とグレイ色度点保持部７０３に格納されたグレイ色度点とから、各メディアが該グレイ色度点の印刷に適しているか否かを示す評価値（例えば、第２の実施形態で説明した式（２）で求まる評価値Ｓ）を計算する。
【００５２】
また、ソート部７０６は、ネットワークＩ／Ｆ部７０８、７１０を介してサーバ部８０３にアクセスし、メディア色材リスト保持部７０４に格納された各メディア色材情報をスコア算出部７０５によって計算された評価値によってソートする。尚、ソート部７０６によってソートされた結果は、ＵＩ部７０２がＩ／Ｆ部７０１を介して出力される。
【００５３】
一方、サプライヤクライアント部８０２は、メディア色材登録部７０７がネットワークＩ／Ｆ部７０９、７１０を介してサーバ部８０３にアクセスし、メディア色材リスト保持部７０４に格納されるメディア色材情報を更新する。
【００５４】
さらに、サーバ部８０３は、メディア色材リスト保持部７０４がメディア色材情報を格納する。ネットワーク８０４上の複数のユーザおよびサプライヤは、ネットワークＩ／Ｆ部７１０を介してメディア色材情報にアクセスすることが可能である。
【００５５】
上述したように、本実施形態に係る情報処理システムを用いることによって、メディア色材サプライヤが最新のメディア／色材情報を簡易に且つ迅速に更新することが可能である。また、ユーザは、画像調整内容に最適なメディア／色材情報を得る場合、サプライヤが更新した最新のメディア／色材情報に基づいた結果を得ることができる。
【００５６】
＜他の実施形態＞
尚、本発明は、複数の機器（例えば、ホストコンピュータ、インタフェース機器、リーダ、プリンタ等）から構成されるシステムに適用しても、一つの機器からなる装置（例えば、複写機、ファクシミリ装置等）に適用してもよい。
【００５７】
また、本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５８】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５９】
本発明を上記記録媒体に適用する場合、その記録媒体には、先に説明したフローチャートに対応するプログラムコードが格納されることになる。
【００６０】
【発明の効果】
以上説明したように、本発明によれば、白黒画像又はカラー画像におけるグレイ色を指定された色味で印刷する場合のメディアの種類等を好適に評価することができる。
【図面の簡単な説明】
【図１】本発明の第１の実施形態に係る情報処理装置１００の細部構成を示すブロック図である。
【図２】あらかじめ設定されているグレイの色味をリストから選択するＵＩの一例を示す図である。
【図３】新規にグレイ色度点を設定する場合のＵＩの一例を示す図である。
【図４】本発明の第１の実施形態に係る情報処理装置を用いてユーザが指定した色味のグレイ色を形成するために最適なメディア情報を決定するための処理手順を説明するためのフローチャートである。
【図５】第１の実施形態におけるメディアリストの出力結果の一例を示す図である。
【図６】本発明の第２の実施形態の情報処理装置６００の細部構成を示すブロック図である。
【図７】本発明の第３の実施形態に係る情報処理システムの細部構成を示すブロック図である。
【図８】白黒画像及びカラー画像におけるグレイの色味調整を説明するための色度平面を示す図である。
【符号の説明】
１００、６００  情報処理装置
２０１  プルダウンリスト
２０２、３１０  ＯＫボタン
２０３、３１１  キャンセルボタン
２０４、３１２  マウスポインタ
３０１〜３０８  色味設定ボタン
３０９  グレイ設定マップ
８０１  ユーザクライアント部
８０２  サプライヤクライアント部
８０３  サーバ部
８０４  ネットワーク
【図１】
2004234550.tif 000005
【図２】
2004234550.tif 000006
【図３】
2004234550.tif 000007
【図４】
2004234550.tif 000008
【図５】
2004234550.tif 000009
【図６】
2004234550.tif 000010
【図７】
2004234550.tif 000011
【図８】
2004234550.tif 000012